(57)【要約】【課題】複数方向の揺動操作と回転操作の複合操作が可能な回転揺動式入力装置の回転検出手段として透過型光センサを用いた場合でも操作ダイアルを回転可能に保持するホルダの十分な剛性を確保する技術を提供する。【解決手段】回転揺動式入力装置のホルダ２０は、操作ダイアル２５を遮光羽根３１とともに回転可能に、かつ複数方向に揺動可能に保持する内側環状部２０ｈと、内側環状部２０ｈの外周側に配置され、操作ダイアル２５を揺動操作した際に、スイッチ２３ａを押下する押圧部２０ｅが設けられた外側環状部２０ｄと、外側環状部２０ｄと内側環状部２０ｈとを接続する複数の接続部２０ｆと、を有する。外側環状部２０ｄと内側環状部２０ｈとの間は、操作ダイアル２５を回転操作した際に、フォトインタラプタ２２の投光部と受光部との間を通過する遮光羽根３１の遮光部３１ｂが通過し、接続部２０ｆには、プリント配線板２９に形成された開口部２９ａから露出する粘着シート３０の粘着面に接触して基台２８に固定される固定部２０ｉが設けられている。【選択図】図９
2017091613.tif 000002
【特許請求の範囲】
【請求項１】
基台と、
透過型光センサが実装されるプリント配線板と、
前記プリント配線板の前記透過型光センサの実装面の反対側に設けられ、前記基台と前記プリント配線板とを固定する粘着シートと、
前記プリント配線板の前記透過型光センサの実装面側に設けられ、押下されることで信号を発生する複数のスイッチと、
回転操作、及び前記複数のスイッチに対応する複数方向の揺動操作が可能な操作ダイアルと、
前記操作ダイアルに固定され、前記操作ダイアルを回転操作した際に、前記透過型光センサの投光部と受光部との間を通過する複数の遮光部が周方向に略等間隔で設けられた遮光羽根と、
前記操作ダイアルを前記遮光羽根とともに回転可能に、かつ前記複数方向に揺動可能に保持する弾性変形可能なホルダと、を備える回転揺動式入力装置であって、
前記ホルダは、前記操作ダイアルを前記遮光羽根とともに回転可能に、かつ前記複数方向に揺動可能に保持する内側環状部と、前記内側環状部の外周側に配置され、前記操作ダイアルを前記複数方向のいずれかの方向に揺動操作した際に、弾性変形して前記複数のスイッチのうちの対応するスイッチを押下する押圧部が設けられた外側環状部と、前記外側環状部と前記内側環状部との間に配置され、前記外側環状部と前記内側環状部とを接続する複数の接続部と、を有し、
前記外側環状部と前記内側環状部との間は、前記操作ダイアルを回転操作した際に、前記遮光部が通過し、前記接続部には、前記プリント配線板に形成された開口部から露出する前記粘着シートの粘着面に接触して前記基台に固定される固定部が設けられていることを特徴とする回転揺動式入力装置。
【請求項２】
前記ホルダは、前記固定部の径方向外側の位置に前記基台とのカシメ部を有し、
前記カシメ部は、前記開口部を前記固定部とともに貫通することを特徴とする請求項１に記載の回転揺動式入力装置。
【請求項３】
前記開口部は、前記複数のスイッチの間に配置されていることを特徴とする請求項１又は２に記載の回転揺動式入力装置。
【請求項４】
請求項１乃至３のいずれか一項に記載の回転揺動式入力装置を備えることを特徴とする電子機器。
【発明の詳細な説明】
【技術分野】
【０００１】
本発明は、例えばデジタルカメラ等の撮像装置を含む電子機器に設けられる回転揺動式入力装置、及び回転揺動式入力装置を備える電子機器に関する。
【背景技術】
【０００２】
デジタルカメラ等の電子機器として、複数方向の揺動操作と回転操作の複合操作が可能な操作ダイアルを有する回転揺動式入力装置を備えるものがある。回転揺動式入力装置の回転検出手段としては、操作ダイアルに固定された接点ブラシをプリント配線板に設けられた電極パターンに沿って摺動させることで発生するパルス信号に基づき操作ダイアルの回転を検出する技術が提案されている（特許文献１及び２）。この提案では、操作ダイアルを揺動させることで、操作ダイアルに設けられた押し子によりスイッチが押されて信号が出力される。
【０００３】
ところで、回転検出手段として、操作ダイアルと一体に回転する遮光羽根の複数の遮光部が透過型光センサの投光部と受光部との間を通過することで、操作ダイアルの回転を検出する技術が知られている。透過型光センサを用いた回転検出手段は、遮光羽根と透過型光センサが非接触であることから耐久性に優れ、また、高価な部品を用いる必要もないため、安価に構成することが可能である。
【先行技術文献】
【特許文献】
【０００４】
【特許文献１】特許第４４３１１７７号公報
【特許文献２】特許第５２１９９８８号公報
【発明の概要】
【発明が解決しようとする課題】
【０００５】
しかし、回転検出手段として透過型光センサを用いた場合、操作ダイアルを回転可能に保持するホルダと遮光羽根との干渉を避けるため、ホルダの遮光羽根が通過する部分の形状が薄肉形状となってしまう。そのため、ホルダの剛性を十分に確保することが難しく、その結果、複数方向の揺動操作と回転操作の複合操作において操作ダイアルのがたつきが生じる可能性があり、操作性が低下するおそれがある。
【０００６】
そこで、本発明は、複数方向の揺動操作と回転操作の複合操作が可能な回転揺動式入力装置の回転検出手段として透過型光センサを用いた場合でも操作ダイアルを回転可能に保持するホルダの十分な剛性を確保することができる技術を提供することを目的とする。
【課題を解決するための手段】
【０００７】
上記目的を達成するために、本発明は、基台と、透過型光センサが実装されるプリント配線板と、前記プリント配線板の前記透過型光センサの実装面の反対側に設けられ、前記基台と前記プリント配線板とを固定する粘着シートと、前記プリント配線板の前記透過型光センサの実装面側に設けられ、押下されることで信号を発生する複数のスイッチと、回転操作、及び前記複数のスイッチに対応する複数方向の揺動操作が可能な操作ダイアルと、前記操作ダイアルに固定され、前記操作ダイアルを回転操作した際に、前記透過型光センサの投光部と受光部との間を通過する複数の遮光部が周方向に略等間隔で設けられた遮光羽根と、前記操作ダイアルを前記遮光羽根とともに回転可能に、かつ前記複数方向に揺動可能に保持する弾性変形可能なホルダと、を備える回転揺動式入力装置であって、前記ホルダは、前記操作ダイアルを前記遮光羽根とともに回転可能に、かつ前記複数方向に揺動可能に保持する内側環状部と、前記内側環状部の外周側に配置され、前記操作ダイアルを前記複数方向のいずれかの方向に揺動操作した際に、弾性変形して前記複数のスイッチのうちの対応するスイッチを押下する押圧部が設けられた外側環状部と、前記外側環状部と前記内側環状部との間に配置され、前記外側環状部と前記内側環状部とを接続する複数の接続部と、を有し、前記外側環状部と前記内側環状部との間は、前記操作ダイアルを回転操作した際に、前記遮光部が通過し、前記接続部には、前記プリント配線板に形成された開口部から露出する前記粘着シートの粘着面に接触して前記基台に固定される固定部が設けられていることを特徴とする。
【発明の効果】
【０００８】
本発明によれば、複数方向の揺動操作と回転操作の複合操作が可能な回転揺動式入力装置の回転検出手段として透過型光センサを用いた場合でも操作ダイアルを回転可能に保持するホルダの十分な剛性を確保することができる。これにより、複数方向の揺動操作と回転操作の複合操作において、操作ダイアルのがたつきを防止して操作性を向上させることができる。
【図面の簡単な説明】
【０００９】
【図１】本発明の回転揺動式入力装置を備える電子機器の実施形態の一例であるデジタルカメラを背面側から見た斜視図である。
【図２】回転揺動式入力装置の斜視図である。
【図３】図２に示す回転揺動式入力装置の分解斜視図である。
【図４】（ａ）は操作ダイアルの裏面側に嵌合される遮光羽根の斜視図、（ｂ）は遮光羽根を操作ダイアルの裏面側に取り付ける様子を示す斜視図である。
【図５】回転揺動式入力装置の遮光羽根とフォトインタラプタとの関係を説明する部分斜視図である。
【図６】（ａ）はホルダの操作ダイアル側から見た斜視図、（ｂ）はホルダのプリント配線板側から見た斜視図である。
【図７】基台、両面テープ、プリント配線板及びホルダを基台側から見た分解斜視図である。
【図８】（ａ）は基台に両面テープを介して固定されたシートスイッチを示す図、（ｂ）は回転揺動式入力装置の要部を操作ダイアル側から見た図である。
【図９】図８（ｂ）のＡ−Ａ線断面図である。
【発明を実施するための形態】
【００１０】
以下、図面を参照して、本発明の実施形態の一例を説明する。
【００１１】
図１は、本発明の回転揺動式入力装置を備える電子機器の実施形態の一例であるデジタルカメラを背面側から見た斜視図である。
【００１２】
図１に示すように、本実施形態のデジタルカメラ１０は、正面側に、レンズ鏡筒１２が設けられ、背面側には、レンズ鏡筒１２の撮影光学系を通過して不図示の撮像素子に結像した被写体像を表示するＬＣＤ等の表示ユニット１３が設けられている。デジタルカメラ１０を背面側から見て、表示ユニット１３の右側には、回転揺動式入力装置１４を構成する操作ダイアル２５が設けられている。
【００１３】
回転揺動式入力装置１４は、例えば、マニュアルフォーカスやホワイトバランス等の連続的な入力操作が求められる機能に操作ダイアル２５の回転操作が割り当てられる。また、複数方向の揺動操作と回転操作の複合操作として、フラッシュ発光のオン／オフ／オートのようにトグル操作により設定可能な機能に操作ダイアル２５の押しボタン操作が割り当てられている。
【００１４】
図２は、回転揺動式入力装置１４の斜視図である。図３は、図２に示す回転揺動式入力装置１４の分解斜視図である。
【００１５】
図２及び図３に示すように、操作ダイアル２５は、ホルダ２０に対してＺ軸を中心に回転操作可能に保持されている。また、操作ダイアル２５は、複合操作として、図の上下左右方向に押し操作された場合に、ホルダ２０に対して揺動可能に保持されている。操作ダイアル２５の中央部には、表示板２６が設けられている。
【００１６】
表示板２６の外観には、上下左右方向のボタン機能を表すアイコンが印刷されている。表示板２６は、基台２８に設けられた孔に位置決めされると共に基台２８の裏面に突出したピン形状部がカシメられて基台２８に固定され、回転が規制されている。表示板２６の中央部には、センターキー２７が設けられ、センターキー２７は、表示板２６に対して軸方向に押し操作が可能に保持されている。
【００１７】
操作ダイアル２５を上下左右の各方向へ押し操作した場合、表示板２６は、操作ダイアル２５に追従して揺動し、また、センターキー２７は、操作ダイアル２５の回転時も揺動時も連動せず、軸方向の押し操作のみ可能になっている。操作ダイアル２５は、プリント配線板２９とともに粘着シートの一例である両面テープ３０を介して基台２８に固定されている。
【００１８】
プリント配線板２９には、図３に示すように、操作ダイアル２５の回転を検出するための透過型光センサとして一対のフォトインタラプタ２２が実装されている。プリント配線板２９のフォトインタラプタ２２の実装面側には、複数のメタルドームスイッチ２３ａを一体に保持するシートスイッチ２３ｂが固定されている。また、プリント配線板２９のフォトインタラプタ２２の実装面と反対側には、両面テープ３０が配置されている。
【００１９】
ホルダ２０は、基台２８に設けられた貫通孔２８ａ（図７参照）に位置決めされるとともに、基台２８の裏面から突出したピン形状のカシメ部２０ｊ（図６（ｂ）参照）がカシメられて基台２８に固定されている。ホルダ２０には、クリックバネ２１が保持されている。
【００２０】
図４（ａ）は操作ダイアル２５の裏面側に嵌合される遮光羽根３１の斜視図、図４（ｂ）は遮光羽根３１を操作ダイアル２５の裏面側に取り付ける様子を示す斜視図である。
【００２１】
遮光羽根３１は、金属材料等により形成され、図４（ａ）に示すように、操作ダイアル２５の裏面側に嵌合固定されて操作ダイアル２５と一体に回転する円環部３１ａを有する。円環部３１ａの外周部には、操作ダイアル２５の軸方向に突出する遮光部３１ｂが周方向に略等間隔で複数設けられている。
【００２２】
遮光部３１ｂでは、フォトインタラプタ２２の投光部からの光を遮光し、周方向に互いに隣り合う遮光部３１ｂの間の間隙３２では、フォトインタラプタ２２の投光部からの光は遮光されることなく受光部で受光される。また、遮光羽根３１の一つの間隙３２には、操作ダイアル２５と位置決めするための位置決め部３１ｃが操作ダイアル２５の軸方向に突出して設けられている。位置決め部３１ｃは、軸方向の突出寸法が遮光部３１ｂより短くなっており、従って、フォトインタラプタ２２の投光部からの光が位置決め部３１ｃによって遮光されることはない。
【００２３】
操作ダイアル２５には、図４（ｂ）に示すように、ホルダ２０に形成された保持孔２０ｃ（図３参照）に回転可能、かつ複数方向に揺動可能に保持される回転軸部２５ｂが設けられている。回転軸部２５ｂの外周部には、径方向外側に突出する凸部２５ａが周方向に略等間隔で複数設けられている。
【００２４】
凸部２５ａにクリックバネ２１が当接することにより、操作ダイアル２５の回転操作時にクリック感が発生し、停止時は操作ダイアル２５を安定した位置に停止させる。また、操作ダイアル２５には、遮光羽根３１の位置決め部３１ｃが位置決め嵌合される切り欠き部２５ｃが設けられている。
【００２５】
図５は、回転揺動式入力装置１４の遮光羽根３１とフォトインタラプタ２２との関係を説明する部分斜視図である。操作ダイアル２５が遮光羽根３１と一体で回転した際、遮光羽根３１の遮光部３１ｂと間隙３２がフォトインタラプタ２２の投光部と受光部との間の間隙部２２ａを通過することにより、フォトインタラプタ２２の投光部からの光が遮光と透過を繰り返す。
【００２６】
このときのフォトインタラプタ２２からの出力信号に基づき、操作ダイアル２５の回転を検出することができる。なお、プリント配線板２９に実装された一対のフォトインタラプタ２２は、出力信号の波形が半位相ずれる角度で配置されており、これにより、操作ダイアル２５の回転方向も検出することが可能となっている。
【００２７】
図６（ａ）はホルダ２０の操作ダイアル２５側から見た斜視図、図６（ｂ）はホルダ２０のプリント配線板２９側から見た斜視図である。
【００２８】
図６（ａ）に示すように、ホルダ２０は、操作ダイアル２５の回転軸部２５ｂを回転可能に、かつ複数方向に揺動可能に保持する保持孔２０ｃを有する内側環状部２０ｈを備える。内側環状部２０ｈの外周側には、外側環状部２０ｄが配置され、外側環状部２０ｄと内側環状部２０ｈとは、周方向に略等間隔で配置された４箇所の接続部２０ｆを介して接続されている。内側環状部２０ｈ、接続部２０ｆ及び外側環状部２０ｄは、弾性変形可能な樹脂材料等により一体で形成されている。
【００２９】
外側環状部２０ｄの操作ダイアル２５側の面には、操作ダイアル２５が回転する際に摺動する摺動部２０ｅが周方向に略等間隔で４箇所設けられている。４箇所の摺動部２０ｅは、図３に示す複数のメタルドームスイッチ２３ａのうちの中央に配置された上下左右の４箇所のメタルドームスイッチ２３ａに対応して設けられている。そして、摺動部２０ｅは、操作ダイアル２５を上下左右のいずれかの方向に揺動操作した際に、対応するメタルドームスイッチ２３ａを押下する押圧部として機能する。
【００３０】
このとき、外側環状部２０ｄには、操作ダイアル２５の揺動方向のストッパとして第１当接面２０ｂが設けられている。第１当接面２０ｂは、フォトインタラプタ２２の近傍に配置されて、接続部２０ｆと同位相で、かつ摺動部２０ｅに対して４５°の位相をずらして周方向に略等間隔で４箇所設けられている。内側環状部２０ｈにも同様に、操作ダイアル２５の揺動方向のストッパとして第２当接面２０ａが設けられている。
【００３１】
図６（ｂ）に示すように、接続部２０ｆの裏側には、基台２８に固定するための平面状の固定部２０ｉが設けられている。固定部２０ｉは、内側環状部２０ｈ及び外側環状部２０ｄのシートスイッチ２３ｂとの当接面よりシートスイッチ２３ｂ側に突出した凸形状となっている。固定部２０ｉの径方向外側の位置には、カシメ部２０ｊが設けられている。カシメ部２０ｊは、シートスイッチ２３及び基台２８に両面テープ３０を介して固定されるプリント配線板２９に対してホルダ２０をカシメ固定するために用いられる。
【００３２】
図７は、基台２８、両面テープ３０、プリント配線板２９及びホルダ２０を基台２８側から見た分解斜視図である。図７に示すように、基台２８には、ホルダ２０に設けられたカシメ部２０ｊをカシメ固定する貫通孔２８ａが設けられている。プリント配線板２９には、ホルダ２０に設けられたカシメ部２０ｊと固定部２０ｉが貫通する開口部２９ａが形成されている。
【００３３】
図８（ａ）はシートスイッチ２３ｂが貼りつけられ、基台２８に両面テープ３０を介して固定されたプリント配線板２９を示す図、図８（ｂ）は回転揺動式入力装置１４の要部を操作ダイアル２５側から見た図である。
【００３４】
図８（ａ）に示すように、プリント配線板２９の開口部２９ａには、両面テープ３０の粘着面が露出している。ここで、ホルダ２０の固定部２０ｉは、開口部２９ａから露出する両面テープ３０に面接触して基台２８に固定され、この状態で基台２８に形成された貫通孔２８ａから突出したカシメ部２０ｊをカシメ固定する。このように、本実施形態では、カシメ固定時にホルダ２０が基台２８に固定されているため、基台２８に対するホルダ２０の位置精度が良好となる。
【００３５】
図９は、図８（ｂ）のＡ−Ａ線断面図である。操作ダイアル２５が回転操作されると、図９に示すように、操作ダイアル２５に一体に固定された遮光羽根３１の遮光部３１ｂは、ホルダ２０の接続部２０ｆを通過する。このため、接続部２０ｆを比較的薄肉に形成することにより、操作ダイアル２５の回転操作を可能にしている。
【００３６】
ここで、本実施形態では、前述したように、ホルダ２０の接続部２０ｆの基台２８側の面に設けられた固定部２０ｉは、両面テープ３０に面接触して基台２８に固定される。この結果、接続部２０ｆは、薄肉形状であるが、基台２８に両面テープ３０を介して面で固定されるため、ホルダ２０の剛性を確保することが可能となる。また、第１当接面２０ｂは、操作ダイアル２５の揺動操作の際に操作ダイアル２５の外周フランジ部が当接することでストッパとして機能し、これにより、操作ダイアル２５の必要以上の揺動動作を規制する。
【００３７】
以上説明したように、本実施形態では、操作ダイアル２５を回転操作可能に保持するホルダ２０は、基台２８に対してプリント配線板２９に形成された開口部２９ａから露出する両面テープ３０に面接触して固定される。その結果、ホルダ２０の接続部２０ｆは、薄肉形状であるが、ホルダ２０は、基台２８に対して面で固定されるため、面方向においてホルダ２０の剛性を向上させることが可能となる。
【００３８】
この結果、複数方向の揺動操作と回転操作の複合操作が可能な回転揺動式入力装置１４の回転検出手段としてフォトインタラプタ２２を用いた場合でも。操作ダイアル２５を回転可能に保持するホルダ２０の十分な剛性を確保することができる。これにより、複数方向の揺動操作と回転操作の複合操作において、操作ダイアル２５のがたつきを防止して操作性を向上させることができる。また、ホルダ２０と基台２８の相対的な移動を防止することが可能となり、操作ダイアル２５の操作性を向上させることができるとともに、操作ダイアル２５の位置精度を向上させることができる。
【００３９】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００４０】
１４  回転揺動式入力装置
２０  ホルダ
２０ｄ  外側環状部
２０ｅ  摺動部
２０ｆ  接続部
２０ｈ  内側環状部
２０ｉ  固定部
２２  フォトインタラプタ
２３ｂ  シートスイッチ
２５  操作ダイアル
２８  基台
２９  プリント配線板
２９ａ  開口部
３０  両面テープ
３１  遮光羽根
３１ｂ  遮光部
【図１】
2017091613.tif 000003
【図２】
2017091613.tif 000004
【図３】
2017091613.tif 000005
【図４】
2017091613.tif 000006
【図５】
2017091613.tif 000007
【図６】
2017091613.tif 000008
【図７】
2017091613.tif 000009
【図８】
2017091613.tif 000010
【図９】
2017091613.tif 000011